(57)【特許請求の範囲】
【請求項１】
一枚のシートからなり、底板、複数の側板、及び蓋を有する箱に組立てられる箱用シートであって、
対向する第１及び第２の端縁並びに対向する第３及び第４の端縁を有し、組立状態で底板を形成する底板部と、
上記底板部の第１乃至第４の端縁からそれぞれ延出して設けられ、組立状態で側板を構成する第１乃至第４の側板部と、
上記第１及び第２の側板部の延出側の端縁からそれぞれ延出して設けられ、組立状態で互いに係止される係止部を有する一対の内蓋フラップと、
上記第３及び第４の側板部の延出側の端縁からそれぞれ延出して設けられ、組立状態で上記一対の内蓋フラップに係合する一対の外蓋フラップと
を備え、
上記一対の外蓋フラップが、それぞれ挿入片を有し、
組立状態で一対の上記挿入片をそれぞれ挿入する一対のスリットが上記内蓋フラップに形成されており、
全体形状が、上記一対の内蓋フラップ及び一対の外蓋フラップの幅方向中央部の先端を各頂点とする概略ひし形状であり、
一方の上記内蓋フラップの先端部にこの内蓋フラップの基端縁と平行に伸びる第１係止用切込みが形成され、
他方の上記内蓋フラップの先端部に上記第１係止用切込みと係合する第２係止用切込みが形成されている箱用シート。
【請求項２】
各々の内蓋フラップに延出側の端縁から基端側に伸びる一対の切込みが形成され、
上記各スリットが、一対の内蓋フラップに形成される一対の切込みを突き合わせることで形成されている請求項１に記載の箱用シート。
【請求項３】
上記一対のスリットが、組立状態で上記一対の係止部を挟んだ対向位置に平行に形成されている請求項２に記載の箱用シート。
【請求項４】
上記シートが段ボールシートであって、
上記段ボールシートの中芯の稜線方向が、上記第１乃至第４の側板部の延出方向に対して傾斜している請求項１、請求項２又は請求項３に記載の箱用シート。
【発明の詳細な説明】
【技術分野】
【０００１】
本発明は、箱用シートに関する。
【背景技術】
【０００２】
従来、ピザ等の扁平な物品を収納するケースとして、段ボールシート等からなるシート材を組立てて形成される包装箱が用いられている。また、このような包装箱としては、底板と、底板の端縁から立ち上げられる複数の側板と、複数の側板のうち１つの側板から延出する蓋板とを有する包装箱が知られている（特開平１１−３０１６３７号公報参照）。
【０００３】
この従来の包装箱は、底板の端縁から複数の側板を立ち上げ、さらに隣接する側板同士を組み合わせて固定した状態で、底板上にピザ等の商品を載置して蓋板を閉めることで用いられる。この従来の包装箱は、側板同士を組み合わせるのに手間がかかるため、いつでも商品が収容できるよう、通常側板同士を組み合わせて固定した状態で保管される。
【０００４】
そのため、この従来の包装箱は、組立作業に手間がかかることに加え、保管スペースが大きくなるという不都合を有する。
【先行技術文献】
【特許文献】
【０００５】
【特許文献１】特開平１１−３０１６３７号公報
【発明の概要】
【発明が解決しようとする課題】
【０００６】
本発明は、このような事情に鑑みてなされたものであり、組立作業性に優れ、かつ保管スペースを小さくすることが可能な箱用シートの提供を目的とするものである。
【課題を解決するための手段】
【０００７】
上記課題を解決するためになされた本発明に係る箱用シートは、一枚のシートからなり、底板、複数の側板、及び蓋を有する箱に組立てられる箱用シートであって、対向する第１及び第２の端縁並びに対向する第３及び第４の端縁を有し、組立状態で底板を形成する底板部と、上記底板部の第１乃至第４の端縁からそれぞれ延出して設けられ、組立状態で側板を構成する第１乃至第４の側板部と、上記第１及び第２の側板部の延出側の端縁からそれぞれ延出して設けられ、組立状態で互いに係止される係止部を有する一対の内蓋フラップと、上記第３及び第４の側板部の延出側の端縁からそれぞれ延出して設けられ、組立状態で上記一対の内蓋フラップに係合する一対の外蓋フラップとを備え、上記一対の外蓋フラップが、それぞれ挿入片を有し、組立状態で一対の上記挿入片をそれぞれ挿入する一対のスリットが上記内蓋フラップに形成されている。
【０００８】
当該箱用シートは、第１及び第２の側板部の延出側の端縁からそれぞれ延出して設けられる一対の内蓋フラップ同士を係止し、さらに一対の外蓋フラップにそれぞれ設けられる挿入片をこれらの内蓋フラップに形成される一対のスリットに挿入することで箱に組立てることができる。そのため、当該箱用シートは、簡易な手順で箱を組立てることができ、組立作業性に優れる。また、当該箱用シートは、このように組立作業性に優れるので、途中まで組立てた半製品状で保管する必要がない。従って、当該箱用シートは、保管スペースを小さくすることができる。
【０００９】
全体形状が、上記一対の内蓋フラップ及び一対の外蓋フラップの幅方向中央部の先端を各頂点とする概略ひし形状であり、一方の上記内蓋フラップの先端部にこの内蓋フラップの基端縁と平行に伸びる第１係止用切込みが形成され、他方の上記内蓋フラップの先端部に上記第１係止用切込みと係合する第２係止用切込みが形成されているとよい。このように、全体形状が、上記一対の内蓋フラップ及び一対の外蓋フラップの幅方向中央部の先端を各頂点とする概略ひし形状であり、一方の上記内蓋フラップの先端部にこの内蓋フラップの基端縁と平行に伸びる第１係止用切込みが形成され、他方の上記内蓋フラップの先端部に上記第１係止用切込みと係合する第２係止用切込みが形成されていることによって、当該箱用シートを切り出す前のシートの面積に対する当該箱用シートの面積の割合を大きく取ることで生産性を高めつつ、一対の内蓋フラップ同士の係合容易化を促進することができる。
【００１０】
各々の内蓋フラップに延出側の端縁から基端側に伸びる一対の切込みが形成され、上記各スリットが、一対の内蓋フラップに形成される一対の切込みを突き合わせることで形成されているとよい。このように、各々の内蓋フラップに延出側の端縁から基端側に伸びる一対の切込みが形成され、上記各スリットが、一対の内蓋フラップに形成される一対の切込みを突き合わせることで形成されていることによって、各挿入片の各スリットに対する挿入容易化が促進されると共に、各々の外蓋フラップが一対の内蓋フラップと係合されるので、当該箱用シートを組立ててなる箱の形状安定性を向上することができる。
【００１１】
上記一対のスリットが、組立状態で上記一対の係止部を挟んだ対向位置に平行に形成されているとよい。このように、上記一対のスリットが、組立状態で上記一対の係止部を挟んだ対向位置に平行に形成されていることによって、各外蓋フラップの挿入片の挿入容易性及び当該箱用シートを組立ててなる箱の形状安定性がさらに向上される。
【００１２】
上記シートが段ボールシートであって、上記段ボールシートの中芯の稜線方向が、上記第１乃至第４の側板部の延出方向に対して傾斜しているとよい。このように、上記シートが段ボールシートであって、上記段ボールシートの中芯の稜線方向が、上記第１乃至第４の側板部の延出方向に対して傾斜していることによって、組立状態における各側板部の座屈強度を高めて箱潰れを防止することができる。
【００１３】
なお、本発明において、「概略ひし形」とは、対角線がそれぞれの中点で略垂直に交わる概略四角形をいい、例えば１又は複数の頂点が面取り又は湾曲している形状や、各辺の１又は複数の部分が切りかかれている形状も含む。また、「平行」とは、中心軸同士が１０°以下の角度で配設されることをいい、好ましくは５°以下、さらに好ましくは３°以下で配設されることをいう。
【発明の効果】
【００１４】
以上説明したように、本発明に係る箱用シートは、組立作業性に優れ、かつ保管スペースを小さくすることができる。
【図面の簡単な説明】
【００１５】
【図１】本発明の一実施形態に係る箱用シートを示す模式的平面図である。
【図２】図１の箱用シートの一対の内蓋フラップが互いに係止された状態を示す模式的平面図である。
【図３】図１の箱用シートの一対の外蓋フラップを一対の内蓋フラップに係合した状態を示す模式的平面図である。
【図４】図１の箱用シートを組立ててなるピザケースにピザを収容する手順を説明するための模式的平面図である。
【００１６】
以下、適宜図面を参照しつつ、本発明の実施の形態を詳説する。
【００１７】
［第１実施形態］
＜箱用シート＞
図１の箱用シート１は、一枚のシートからなり、底板、複数の側板、及び蓋を有する箱に組立てられる。
【００１８】
箱用シート１は、対向する第１の端縁２ａ及び第２の端縁２ｂ、並びに対向する第３の端縁２ｃ及び第４の端縁２ｄを有し、組立状態で底板を形成する底板部２と、底板部２の第１乃至第４の端縁２ａ，２ｂ，２ｃ，２ｄからそれぞれ延出して設けられ、組立状態で側板を構成する第１乃至第４の側板部３，４，５，６と、第１及び第２の側板部３，４の延出側の端縁からそれぞれ延出して設けられ、組立状態で互いに係止される係止部１１，１２を有する一対の内蓋フラップ７，８と、第３及び第４の側板部５，６の延出側の端縁からそれぞれ延出して設けられ、組立状態で一対の内蓋フラップ７，８に係合する一対の外蓋フラップ９，１０とを備える。また、箱用シート１は、底板部２及び第１の側板部３に連接される接続片１３ａ，１３ｂと、底板部２及び第２の側板部４に連接される接続片１３ｃ，１３ｄを有する。
【００１９】
箱用シート１に用いられるシートとしては、当該箱用シート１を組立ててなる箱の形状を維持できる程度の強度を有する限り特に限定されず、例えば段ボールシート、厚紙等の紙製シート、合成樹脂製シート、紙製シートと合成樹脂シートとの積層シート等が挙げられる。中でも、加工性、衝撃吸収性、取扱性、リサイクル性、経済性等の点から紙製のシート材が好ましく、段ボールシートが特に好ましい。
【００２０】
上記段ボールシートとしては、波形状に形成された中芯原紙をライナーに貼り合わせたものであって、例えば波形状に形成された中芯原紙を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。なお、図１において、実線は段ボールシートを切断した切断線を示し、破線状の部分は断続的に段ボールシートに切込みを入れたミシン目を示す。但し、このミシン目は、段ボールシートの片側のライナーが切断されていないハーフカット又は段ボールシートに型押しして形成した罫線であってもよい。
【００２１】
箱用シート１は、全体形状が、一対の内蓋フラップ７，８及び一対の外蓋フラップ９，１０の幅方向中央部の先端を各頂点とする概略ひし形状である。当該箱用シート１は、全体形状が、一対の内蓋フラップ７，８及び一対の外蓋フラップ９，１０の幅方向中央部の先端を各頂点とする概略ひし形状であることによって、当該箱用シート１を切り出す前のシートの面積に対する当該箱用シート１の面積の割合を大きく取ることで生産性を高めることができる。
【００２２】
当該箱用シート１は、外接するひし形の各辺と、一対の内蓋フラップ７，８及び一対の外蓋フラップ９，１０の外縁とが一致することが好ましい。つまり、当該箱用シート１は、一対の内蓋フラップ７，８及び一対の外蓋フラップ９，１０の外縁を各辺とするひし形から突出する部分を有しないことが好ましい。また、当該箱用シート１が外接するひし形は、正方形であることがより好ましい。当該箱用シート１が外接する最小面積のひし形の面積に対するに対する当該箱用シート１の面積の比の下限としては、０．８が好ましく、０．９がより好ましく、０．９５がさらに好ましい。上記面積の比が上記下限未満であると、生産性が十分に向上されないおそれがある。これに対し、上記面積の比が上記範囲内であると、コルゲーター等の貼合設備から排出される段ボールシートを連続的に片抜き加工することで当該箱用シート１を容易に製造することができる。
【００２３】
また、段ボールシートの中芯の稜線方向は第１乃至第４の側板部３〜６の延出方向に対して傾斜していることが好ましい。つまり、段ボールシートの中芯の稜線は、底板部２の第１乃至第４の端縁２ａ〜２ｄに対して傾斜していることが好ましい。当該箱用シート１は、段ボールシートの中芯の稜線方向が第１乃至第４の側板部３〜６の延出方向に対して傾斜していることによって、組立状態における各側板部３〜６の座屈強度を高めて箱潰れを防止することができる。つまり、当該箱用シート１は、例えば段ボールシートの中芯の稜線方向が第１及び第２の側板部３，４の延出方向と垂直である場合、組立状態において第１及び第２の側板部３，４の座屈強度が不十分となり、第１及び第２の側板部３，４の強度不足に起因する箱潰れが生じるおそれがある。これに対し、段ボールシートの中芯の稜線方向が、底板部２の第１乃至第４の端縁２ａ〜２ｄの形成方向に対して傾斜している場合、特定の側板の座屈強度が低下するのを防止して、箱潰れの発生を防止することができる。
【００２４】
第１乃至第４の側板部３〜６の延出方向に対する段ボールシートの中芯の稜線方向の傾斜角度の下限としては、３０°が好ましく、４０°がより好ましい。一方、上記段ボールシートの中芯の稜線方向の傾斜角度の上限としては、６０°が好ましく、５０°がより好ましい。また特に、上記段ボールシートの中芯の稜線方向の傾斜角度としては、４５°が特に好ましい。上記段ボールシートの中芯の稜線方向の傾斜角度が上記範囲外であると、特定の側板部の座屈強度が不十分となるおそれがある。
【００２５】
（底板部）
底板部２は、第１の端縁２ａと第３及び第４の端縁２ｃ，２ｄとの間、並びに第２の端縁２ｂと第３及び第４の端縁２ｃ，２ｄとの間にそれぞれ折込用端縁２ｅ，２ｆ，２ｇ，２ｈを有する略八角形状に形成されている。第１の端縁２ａ及び第２の端縁２ｂは平行かつ同じ長さに形成され、第３の端縁２ｃ及び第４の端縁２ｄは平行かつ同じ長さに形成されている。第１の端縁２ａ及び第２の端縁２ｂの間隔は、第３の端縁２ｃ及び第４の端縁２ｄの間隔と略等しい。つまり、底板部２は、第１乃至第４の端縁２ａ〜２ｄを通る４つの直線によって区画される略正方形の４隅を面取りした形状とされ、この面取りによって形成された端縁が４つの折込用端縁２ｅ〜２ｈとして構成されている。
【００２６】
対向する第１及び第２の端縁２ａ，２ｂ、並びに対向する第３及び第４の端縁２ｃ，２ｄの間隔の下限としては、底板部２上に収容物を載置できるだけの長さである限り特に限定されるものではなく、例えば１５ｃｍ以上３５ｃｍ以下程度とすることができる。また、各折込用端縁２ｅ〜２ｈの長さの第１の端縁２ａの長さに対する比としては、例えば０．３以上０．５以下程度とすることができる。上記長さ比が上記下限に満たないと、後述するように当該箱用シート１を組立ててなる箱の蓋を折込用端縁２ｅ〜２ｈと連接される端部３ｂ，４ｂによって十分に支持できないおそれがある。逆に、上記長さ比が上記上限を超えると、当該箱用シート１を組立ててなる箱の収容スペースが十分に確保できないおそれがある。
【００２７】
（接続片）
接続片１３ａ〜１３ｄは、当該箱用シート１の組立状態で底板部２の上面に折り重ねられる。接続片１３ａ〜１３ｄは、折込用端縁２ｅ〜２ｈと第１又は第２の側板部３，４とを連結する。各接続片１３ａ〜１３ｄは、折込用端縁２ｅ〜２ｈとの連接部及び側板部３，４との連接部を２辺とする略三角形状に構成されている。また、上記２辺のなす角度としては、典型的には２２．５°とされている。
【００２８】
（側板部）
各側板部３〜６は、延出方向を短辺方向とする略矩形状に形成されている。また、各側板部３〜６の延出長さは略等しい。各側板部３〜６の延出長さとしては、当該箱用シート１を組立ててなる箱に収容される収容物の大きさに合わせて適宜設定可能であるが、例えば２ｃｍ以上１０ｃｍ以下とすることができる。
【００２９】
第１の側板部３は、第１の端縁２ａから延出される中央部３ａと、中央部３ａから幅方向の両側に延出される一対の端部３ｂとを有する。一対の端部３ｂは、接続片１３ａ，１３ｂに連接されている。第１の側板部３には、第１の端縁２ａの両端から第１の側板部３の延出方向に伸びる一対の折り曲げ容易線１４が形成されている。中央部３ａ及び一対の端部３ｂは、一対の折り曲げ容易線１４によって区画されている。
【００３０】
第２の側板部４は、第２の端縁２ｂから延出される中央部４ａと、中央部４ａから幅方向の両側に延出される一対の端部４ｂとを有する。一対の端部４ｂは、接続片１３ｃ，１３ｄに連接されている。第２の側板部４には、第２の端縁２ｂの両端から第２の側板部４の延出方向に伸びる一対の折り曲げ容易線１５が形成されている。中央部４ａ及び一対の端部４ｂは、一対の折り曲げ容易線１５によって区画されている。
【００３１】
第３の側板部５は、第３の端縁２ｃから延出されている。第３の側板部５の延出側の端縁の長さは第３の端縁２ｃの長さと等しい。第４の側板部６は、第４の端縁２ｄから延出されている。第４の側板部６の延出側の端縁の長さは第４の端縁２ｄの長さと等しい。
【００３２】
（内蓋フラップ）
一対の内蓋フラップ７，８は、一対の側板部３，４の中央部３ａ，４ａから延出されている。一対の内蓋フラップ７，８は、一対の側板部３，４との連接部及びこの連接部の両側に伸びる基端縁を底辺とする略二等辺三角形状に形成されており、詳細には底辺の角を面取りした略五角形状に形成されている。
【００３３】
一方の内蓋フラップ７の先端部（上記略二等辺三角形の延出側の頂点近傍部分）には、この内蓋フラップ７の一方側の外縁から幅方向中央に向けて基端側に傾斜する第１斜辺１１ｂ及びこの第１斜辺１１ｂの先端から内蓋フラップ７の基端縁と平行に伸びる第１係止用切込み１１ａが形成されている。また、第１係止用切込み１１ａの先端は、内蓋フラップ７の幅方向中央位置まで至る共にこの幅方向中央位置で一方の内蓋フラップ７の先端側に折れ曲がっている。第１係止用切込み１１ａ及び第１斜辺１１ｂは、一方の内蓋フラップ７の係止部１１を構成する。
【００３４】
他方の内蓋フラップ８の先端部には、第１係止用切込み１１ａと係合する第２係止用切込み１２ａが形成されている。詳細には、他方の内蓋フラップ８の先端部には、この内蓋フラップ８の他方側の外縁から幅方向中央に向けて基端側に傾斜する第２斜辺１２ｂ及びこの第２斜辺１２ｂの先端から内蓋フラップ８の基端縁と平行に伸びる第２係止用切込み１２ａが形成されている。また、第２係止用切込み１２ａの先端は、内蓋フラップ８の幅方向中央位置まで至ると共にこの幅方向中央位置で他方の内蓋フラップ８の先端側に折れ曲がっている。第２係止用切込み１２ａ及び第２斜辺１２ｂは、他方の内蓋フラップ８の係止部１２を構成する。
【００３５】
図２に示すように、当該箱用シート１は、第１係止用切込み１１ａ及び第２係止用切込み１２ａを係止することで、一対の内蓋フラップ７，８同士が係止される。またこの際に、第１の側板部３の一対の端部３ｂ及び第２の側板部４の一対の端部４ｂが各接続片１３ａ〜１３ｄの折込によって内側に折曲されることで、一対の内蓋フラップ７，８がこれらの端部３ｂ，４ｂによって支持される。なお、当該箱用シート１は、組立状態において、各内蓋フラップ７，８及び各外蓋フラップ９，１０が、箱の上部開口を対角線で区分した４つの三角形の領域のそれぞれを封止する。そのため、当該箱用シート１は、一対の内蓋フラップ７，８同士が係止された状態で、一対の内蓋フラップ７，８が存在しない領域に対向する一対の三角形状の開口が形成されている。
【００３６】
当該箱用シート１は、全体形状が一対の内蓋フラップ７，８及び一対の外蓋フラップ９，１０の幅方向中央部の先端を各頂点とする概略ひし形状であり、一方の上記内蓋フラップ７の先端部にこの内蓋フラップ７の基端縁と平行に伸びる第１係止用切込み１１ａが形成され、他方の内蓋フラップ８の先端部に第１係止用切込み１１ａと係合する第２係止用切込み１２ａが形成されていることによって、当該箱用シート１を切り出す前のシートの面積に対する当該箱用シート１の面積の割合を大きく取ることで生産性を高めつつ、一対の内蓋フラップ７，８同士の係合容易化を促進することができる。
【００３７】
当該箱用シート１は、一方の内蓋フラップ７に第１斜辺１１ｂが形成され、他方の内蓋フラップ８に第２斜辺１２ｂが形成されているので、第１係止用切込み１１ａ及び第２係止用切込み１２ａの係止作業の容易化が促進される。
【００３８】
当該箱用シート１は、第１係止用切込み１１ａの先端が一方の内蓋フラップ７の延出側に折れ曲がり、第２係止用切込み１２ａの先端が他方の内蓋フラップ８の延出側に折れ曲がっているので、第１斜辺１１ｂ及び第２斜辺１２ｂによって係止作業の容易化を図りつつ、第１係止用切込み１１ａと第２係止用切込み１２ａとを組み合わせた際にこれらの先端部同士が係合されることで第１係止用切込み１１ａと第２係止用切込み１２ａとの係止状態を安定的に保持することができる。
【００３９】
図２に示すように、一対の内蓋フラップ７，８には、後述する一対の外蓋フラップ９，１０の挿入片９ｂ，１０ｂをそれぞれ挿入する一対のスリット１６，１７が形成される。また、一対の内蓋フラップ７，８には、一対のスリット１６，１７からスリット形成方向と垂直方向に伸びる複数の切込みが形成されている。当該箱用シート１は、この複数の切込みによって一対の挿入片９ｂ，１０ｂと一対のスリット１６，１７との間に隙間が生じるのを抑制しつつ、一対の挿入片９ｂ，１０ｂの挿入容易化を促進することができる。
【００４０】
各スリット１６，１７は、一対の内蓋フラップ７，８に形成される一対の切込み１６ａ，１６ｂ，１７ａ，１７ｂを近接又は重複させることで形成される。具体的には、各々の内蓋フラップ７，８には、延出側の端縁から基端側に伸びる一対の切込み１６ａ，１６ｂ，１７ａ，１７ｂが形成されている。また、一方の内蓋フラップ７に形成される一方の切込み１６ａと、他方の内蓋フラップ８に形成される一方の切込み１６ｂとは同一直線上に形成されており、かつ一方の内蓋フラップ７に形成される他方の切込み１７ａと、他方の内蓋フラップ８に形成される他方の切込み１７ｂとは同一直線上に形成されている。これにより、一方のスリット１６は、一方の内蓋フラップ７に形成される一方の切込み１６ａ及び他方の内蓋フラップ８に形成される一方の切込み１６ｂを近接又は重複させることで形成され、他方のスリット１７は、一方の内蓋フラップ７に形成される他方の切込み１７ａ及び他方の内蓋フラップ８に形成される他方の切込み１７ｂを近接又は重複させることで形成される（図２参照）。
【００４１】
中でも、当該箱用シート１は、一対のスリット１６，１７が一対の内蓋フラップ７，８に形成される一対の切込み１６ａ，１６ｂ，１７ａ，１７ｂを突き合わせることで形成されることが好ましい。当該箱用シート１は、このように一対のスリット１６，１７が一対の内蓋フラップ７，８に形成される一対の切込み１６ａ，１６ｂ，１７ａ，１７ｂを突き合わせることで形成されることによって、各挿入片９ｂ，１０ｂを各スリット１６，１７に挿入し易い。また、当該箱用シート１は、各々の外蓋フラップ９，１０が一対の内蓋フラップ７，８と係合されるので、当該箱用シート１を組立ててなる箱の形状安定性を向上することができる。
【００４２】
また、一対のスリット１６，１７は、組立状態で一対の係止部１１，１２を挟んだ対向位置に平行に形成されることが好ましい。このような構成は、例えば一方の内蓋フラップ７の幅方向中央部の先端からこの内蓋フラップ７の幅方向（左右方向）に略等間隔の位置に一対の切込み１６ａ，１７ａを形成し、かつ他方の内蓋フラップ８の幅方向中央部の先端からこの内蓋フラップ８の幅方向に略等間隔の位置に他対の切込み１６ｂ，１７ｂを形成することで得られる。
【００４３】
当該箱用シート１は、一対のスリット１６，１７が、組立状態で一対の係止部１１，１２を挟んだ対向位置に平行に形成されていることによって、各外蓋フラップ９，１０の挿入片９ｂ，１０ｂの挿入容易性及び当該箱用シート１を組立ててなる箱の形状安定性がさらに向上される。
【００４４】
また、一対のスリット１６，１７は、組立状態で一方の内蓋フラップ７が他方の内蓋フラップ８に重ならない非重畳部位に形成されていることが好ましい。当該箱用シート１は、一対のスリット１６，１７が、組立状態で一方の内蓋フラップ７が他方の内蓋フラップ８に重ならない非重畳部位に形成されていることによって、一対の挿入片９ｂ，１０ｂを一対のスリット１６，１７にさらに挿入し易くなる。
【００４５】
さらに、一対のスリット１６，１７が上記非重畳部位に形成される場合、一方のスリット１６を形成する一対の切込み１６ａ，１６ｂ、及び他方のスリット１７を形成する一対の切込み１７ａ，１７ｂがそれぞれ空隙を介して突き合わせられていてもよい。当該箱用シート１は、一対のスリット１６，１７が、一対の切込み１６ａ，１６ｂ，１７ａ，１７ｂが空隙を介して突き合わせられることで形成されることによって、各スリット１６，１７を形成する切込み１６ａ，１６ｂ，１７ａ，１７ｂ同士が平面視で多少ズレている場合でも、挿入片９ｂ，１０ｂの挿入作業に支障を来し難い。
【００４６】
（外蓋フラップ）
一対の外蓋フラップ９，１０は、組立状態で蓋を構成する本体９ａ，１０ａと、本体９ａ，１０ａの延出側の端縁からそれぞれ延出して設けられる挿入片９ｂ，１０ｂとを有する。各本体９ａ，１０ａは、基端縁を底辺とする略台形状に形成されている。各挿入片９ｂ，１０ｂは、延出側の端縁が基端縁に対して傾斜しており、これにより一対のスリット１６，１７への挿入容易性が向上されている。また、一対の外蓋フラップ９，１０には、本体９ａ，１０ａの挿入片９ｂ，１０ｂとの連接部近辺に、挿入片９ｂ，１０ｂに向けて突出する舌片９ｃ，１０ｃが形成されている。当該箱用シート１は、一対の外蓋フラップ９，１０にそれぞれ舌片９ｃ，１０ｃが形成されていることによって、箱に組立てた後の開封作業が容易化される。当該箱用シート１は、一対の内蓋フラップ７，８同士が係止された状態で、一対の外蓋フラップ９，１０の挿入片９ｂ，１０ｂを一対の内蓋フラップ７，８の一対のスリット１６，１７に挿入することで図３の箱２１に組立てられる。
【００４７】
＜利点＞
当該箱用シート１は、第１及び第２の側板部３，４の延出側の端縁からそれぞれ延出して設けられる一対の内蓋フラップ７，８同士を係止し、さらに一対の外蓋フラップ９，１０にそれぞれ設けられる挿入片９ｂ，１０ｂをこれらの内蓋フラップ７，８に形成される一対のスリット１６，１７に挿入することで箱２１に組立てることができる。そのため、当該箱用シート１は、簡易な手順で箱を組立てることができ、組立作業性に優れる。また、当該箱用シート１は、このように組立作業性に優れるので、途中まで組立てた半製品状で保管する必要がない。従って、当該箱用シート１は、保管スペースを小さくすることができる。
【００４８】
当該箱用シート１を用いて組立てられる当該箱２１は、ピザケースとして構成されることが好ましい。当該箱２１がピザケースとして構成される場合、図４に示すように、一対の内蓋フラップ７，８同士を係止し、一方の外蓋フラップ９の挿入片９ｂをスリット１７に挿入した状態で、他方の外蓋フラップ１０側に形成される開口からピザＸを容易に収容することができる。
【００４９】
［その他の実施形態］
なお、本発明に係る箱用シートは、上記態様の他、種々の変更、改変を施した態様で実施することができる。
【００５０】
例えば、一対の内蓋フラップの係止部の具体的構造は特に限定されるものではなく、例えばＬ字状の切込みや、内蓋フラップの基端縁に対して傾斜した切込みを採用することも可能である。また、一方の内蓋フラップの係止部と他方の内蓋フラップの係止部とは異なる構造であってもよい。
【００５１】
当該箱用シートは、必ずしも全体形状が一対の内蓋フラップ及び一対の外蓋フラップの幅方向中央部の先端を各頂点とする概略ひし形状に形成される必要はなく、例えば一対の内蓋フラップ及び一対の外蓋フラップが略矩形状であってもよい。
【００５２】
上記内蓋フラップに形成される一対のスリットは、必ずしも一対の内蓋フラップに形成される一対の切込みを突き合わせることで形成される必要はなく、例えば上記一対のスリットは一方の内蓋フラップのみに形成されていてもよい。また、内蓋フラップに形成されるスリットの形状、形成位置等についても必要に応じて設定可能である。
【００５３】
当該箱用シートは、必ずしも底板部が略八角形状に形成される必要はなく、またこの底板部には折込用端縁が形成されていなくてもよい。さらに、第１及び第２の側板部は、折込部と連接される端部を有しなくてもよい。当該箱用シートは、第１及び第２の側板部に形成される端部によって一対の内蓋フラップを支持しない場合でも、一対の内蓋フラップ同士を係止し、さらに内蓋フラップに形成されるスリットに一対の外蓋フラップの挿入片を挿入することで、組立てられる箱の強度を適度に保つことができる。
【００５４】
当該箱用シートを組立ててなる箱は、ピザケースの他、例えば書籍や菓子等、種々の物品を収容するために用いることができる。
【産業上の利用可能性】
【００５５】
以上のように、本発明に係る箱用シートは、組立作業性に優れ、かつ保管スペースを小さくすることが可能であり、ピザケース等として適している。
【符号の説明】
【００５６】
１  箱用シート
２  底板部
２ａ，２ｂ，２ｃ，２ｄ  端縁
２ｅ，２ｆ，２ｇ，２ｈ  折込用端縁
３，４，５，６  側板
３ａ，４ａ  中央部
３ｂ，４ｂ  端部
７，８  内蓋フラップ
９，１０  外蓋フラップ
９ａ，１０ａ  本体
９ｃ，１０ｃ  舌片
９ｂ，１０ｂ  挿入片
１１，１２  係止部
１１ａ，１２ａ  係止用切込み
１１ｂ，１２ｂ  斜辺
１３ａ，１３ｂ，１３ｃ，１３ｄ  接続片
１４，１５  折り曲げ容易線
１６，１７  スリット
１６ａ，１６ｂ，１７ａ，１７ｂ  切込み
２１  箱（ピザケース）
Ｘ  ピザ
【要約】
【課題】組立作業性に優れ、かつ保管スペースを小さくすることが可能な箱用シートの提供を目的とする。
【解決手段】本発明の箱用シートは、一枚のシートからなり、底板、複数の側板、及び蓋を有する箱に組立てられ、対向する第１及び第２の端縁並びに対向する第３及び第４の端縁を有し、組立状態で底板を形成する底板部と、底板部の第１乃至第４の端縁からそれぞれ延出して設けられ、組立状態で側板を構成する第１乃至第４の側板部と、第１及び第２の側板部の延出側の端縁からそれぞれ延出して設けられ、組立状態で互いに係止される一対の内蓋フラップと、第３及び第４の側板部の延出側の端縁からそれぞれ延出して設けられ、組立状態で上記一対の内蓋フラップに係合する一対の外蓋フラップとを備え、上記一対の外蓋フラップが、それぞれ挿入片を有し、組立状態で一対の上記挿入片をそれぞれ挿入する一対のスリットが上記内蓋フラップに形成されている。
【選択図】図１【図１】
0005838004.tif 000002
【図２】
0005838004.tif 000003
【図３】
0005838004.tif 000004
【図４】
0005838004.tif 000005